(57)【特許請求の範囲】
【請求項１】
ハーフデュプレックス（ＨＤ）周波数分割二重（ＦＤＤ）プロトコルに従ってアクセスデバイスと通信するようにユーザエージェント（ＵＡ）を動作させる方法であって、
該アクセスデバイスから複数のダウンリンク（ＤＬ）サブフレームを受信することと、
該アクセスデバイスからの後続ＤＬサブフレームの受信中に、該アクセスデバイスから該ＵＡへの該後続ＤＬサブフレームの伝送と関連する伝搬遅延と実質的に一致する、保護期間（ＧＰ）を投入することと、
該複数のＤＬサブフレームおよび該後続ＤＬサブフレームに含まれるデータを実質的に同様に処理することと
を含む、方法。
【請求項２】
データを処理することは、該データの中の個々の符号を連続的に復調して制御符号を識別することを試行することを含み、非制御符号は、無視される、請求項１に記載の方法。
【請求項３】
前記ＤＬと関連する前記伝搬遅延およびアップリンク（ＵＬ）と関連する伝搬遅延は、第４のＵＬ伝送サブフレームの終了時にＧＰと整合され、該ＧＰは、該ＵＬおよびＤＬ伝搬遅延に一致するように短縮される、請求項１に記載の方法。
【請求項４】
前記ＧＰの投入を周期的に差し控え、前記複数のＤＬサブフレームの中の第４のＤＬサブフレームの後に、前記アクセスデバイスからの伝送を監視し続けることをさらに含む、請求項１に記載の方法。
【請求項５】
前記ＧＰの前記投入を差し控えることは、前記ＵＡが、間近に迫ったＵＬサブフレームが保持できる数よりも少ない、前記アクセスデバイスに伝送するデータを有するときに実施される、請求項４に記載の方法。
【請求項６】
一連のＵＬサブフレームの中の第１のＵＬサブフレームの終了後に前記データを伝送することをさらに含む、請求項５に記載の方法。
【請求項７】
前記ＧＰは、少なくとも発振器切替遅延を加えた、前記アクセスデバイスから前記ＵＡへの前記後続ＤＬサブフレームの前記伝送と関連する伝搬遅延に一致する、請求項１に記載の方法。
【請求項８】
データを処理することは、該データの中の個々の符号を連続的に復調して制御符号を識別することを試行することを含み、制御符号を処理するのみである、請求項１に記載の方法。
【請求項９】
ＤＬサブフレームの受信する際に、前記ＵＡは、物理制御フォーマット指示チャネル（ＰＣＦＩＣＨ）を復号することを試行し、前記復調が望ましいと前記ＰＣＦＩＣＨが示した場合、前記ＤＬサブフレームの中の次のＯＦＤＭ符号を復調するのみである、請求項１に記載の方法。
【請求項１０】
ハーフデュプレックス（ＨＤ）周波数分割二重（ＦＤＤ）プロトコルに従ってアクセスデバイスと通信するように構成される、ユーザエージェント（ＵＡ）であって、
該アクセスデバイスから複数のダウンリンク（ＤＬ）サブフレームを受信することと、
該アクセスデバイスからの後続ＤＬサブフレームの受信中に、該アクセスデバイスから該ＵＡへの該後続ＤＬサブフレームの伝送と関連する伝搬遅延と実質的に一致する、保護期間（ＧＰ）を投入することと、
該複数のＤＬサブフレームおよび該後続ＤＬサブフレームに含有されるデータを、実質的に同様に処理することと
を行うように構成される、ＵＡ。
【請求項１１】
前記データを処理する際に、前記ＵＡは、該データの中の個々の符号を連続的に復調して制御符号を識別することを試行するように構成され、非制御符号は、無視される、請求項１０に記載のＵＡ。
【請求項１２】
前記ＤＬと関連する前記伝搬遅延およびアップリンク（ＵＬ）と関連する伝搬遅延は、第４のＵＬ伝送サブフレームの終了時にＧＰと整合され、該ＧＰは、該ＵＬおよびＤＬ伝搬遅延に一致するように短縮される、請求項１０に記載のＵＡ。
【請求項１３】
前記ＧＰの前記投入を周期的に差し控えるように構成され、前記複数のＤＬサブフレームの中の第４のＤＬサブフレームの後に、前記アクセスデバイスからの伝送を監視し続ける、請求項１０に記載のＵＡ。
【請求項１４】
前記ＧＰの前記投入を差し控えるステップは、前記ＵＡが、間近に迫ったＵＬサブフレームが保持できる数よりも少ない、前記アクセスデバイスに伝送するデータを有するときに、実施される、請求項１３に記載のＵＡ。
【請求項１５】
前記ＧＰは、少なくとも発振器切替遅延を加えた、前記アクセスデバイスから前記ＵＡへの前記後続ＤＬサブフレームの前記伝送と関連する伝搬遅延に一致する、請求項１０に記載のＵＡ。
【発明の詳細な説明】
【技術分野】
【０００１】
（関連出願）
本願は、米国仮特許出願第６１／１００，５００号（２００８年９月２６日出願、名称「ＳＹＳＴＥＭ  ＡＮＤ  ＭＥＴＨＯＤ  ＦＯＲ  ＣＯＯＲＤＩＮＡＴＩＮＧ  ＨＡＬＦ−ＤＵＰＬＥＸ  ＣＯＭＭＵＮＩＣＡＴＩＯＮＳ  ＰＲＯＴＯＣＯＬＳ」）に基づき、その利益を主張する。この仮特許出願は、本明細書において参照により援用される。
【０００２】
本開示は、概して、移動通信システムにおけるデータ伝送に関し、より具体的には、ハーフデュプレックス通信プロトコル内でアップリンクおよびダウンリンク通信を協調させるための方法に関する。
【背景技術】
【０００３】
本明細書で使用されるように、「ユーザエージェント」および「ＵＡ」という用語は、携帯電話、携帯情報端末、手持ち式またはラップトップコンピュータ、および電気通信能力を有する同様のデバイス等の、無線デバイスを指すことができる。いくつかの構成では、ＵＡとは、移動無線デバイスを指してもよい。「ＵＡ」という用語はまた、デスクトップコンピュータ、セットトップボックス、またはネットワークノード等の、同様の能力を有するが運搬可能ではないデバイスを指し得る。
【０００４】
従来の無線通信システムでは、基地局内の伝送機器が、セルとして知られている地理的領域の全体を通して信号を伝送する。技術が発達するにつれて、以前は可能ではなかったサービスを提供することができる、より高度なネットワークアクセス機器が導入されてきた。この高度なネットワークアクセス機器は、例えば、基地局よりもむしろ強化ノードＢ（ｅＮＢ）、または従来の無線電気通信システムにおける同等の機器よりも高度に発達した他のシステムおよびデバイスを含む場合がある。そのような高度または次世代機器は、本明細書では、ロングタームエボリューション（ＬＴＥ）機器と呼ばれてもよく、そのような機器を使用するパケットベースのネットワークは、進化型パケットシステム（ＥＰＳ）と呼ぶことができる。本明細書で使用される、「アクセスデバイス」という用語は、電気通信システムにおける他の構成要素へのアクセスをＵＡに提供することができる、従来の基地局またはＬＴＥアクセスデバイス等の任意の構成要素を指す。
【０００５】
進化型汎用地上波無線アクセスネットワーク（Ｅ−ＵＴＲＡＮ）等の移動通信システムでは、アクセスデバイスは、１つ以上のＵＡへの無線アクセスを提供する。アクセスデバイスは、アクセスデバイスに通信する全てのＵＡの間で、アップリンクおよびダウンリンクデータ伝送リソースを割り当てるためのパケットスケジューラを含む。スケジューラの機能は、とりわけ、ＵＡ間の利用可能な空気界面容量を分割することと、各ＵＡのパケットデータ伝送に使用されるリソースを決定することと、パケット割当およびシステム負荷を監視することとを含む。スケジューラは、ダウンリンク共有チャネル（ＤＬ−ＳＣＨ）およびアップリンク共有チャネル（ＵＬ−ＳＣＨ）データ伝送のために、物理層リソースを割り当て、スケジューリングチャネルを通してＵＡにスケジューリング情報を送信する。ＵＡは、アップリンクおよびダウンリンク伝送のタイミング、頻度、データブロックサイズ、変調、および符号化に対するスケジューリング情報を参照する。
【０００６】
ＬＴＥ機器の最新バージョンでは、２つの二重化モードがサポートされている。第１は、時間分割二重（ＴＤＤ）と呼ばれる。ＴＤＤモードで動作する時に、ＵＡとアクセスデバイスとの間で、アップリンク（ＵＬ）およびダウンリンク（ＤＬ）通信の両方を通信するために、共通搬送周波数および帯域幅が使用される。ＵＬおよびＤＬ通信を分離するために、帯域の使用が時間で分割される。例えば、ＵＡの視点から、ＵＬ通信は、アクセスデバイスからＤＬ通信を受信するための所定の時間および持続時間が後に続く、特定の時間および持続時間に制限される。ＵＬおよびＤＬ通信の不慮の重複からさらに保護するために、保護期間（ＧＰ）がしばしば、ＵＬおよびＤＬ通信期間の間に採用される。散在ＧＰを伴うＵＬおよびＤＬ通信期間を交代にする、この過程は、通信サイクルの全体を通して継続する。
【０００７】
第２の二重化モードは、周波数分割二重（ＦＤＤ）である。ＦＤＤ実装では、明白に異なる搬送周波数がＵＬ通信およびＤＬ通信に使用される。したがって、ＦＤＤは、ＵＬおよびＤＬ通信の同時伝送を可能にするという、ＴＤＤに優る利点を提供する。しかしながら、この利点は、増加したハードウェア複雑性、減少したバッテリ寿命、および増加したスペクトル利用を犠牲にして生じる。
【０００８】
ＬＴＥ機器の現在のバージョン内に、ＴＤＤおよびＦＤＤの便益のうちのいくつかを提供する、第３の二重化モードがある。ハーフデュプレックス（ＨＤ）ＦＤＤは、ＵＬおよびＤＬ通信に別個かつ個別の搬送周波数を使用するが、ＵＡとアクセスデバイスとの間の通信は、ＴＤＤと同様に交代させられる。そのようなものとして、同時のＵＬおよびＤＬ通信が回避され、搬送周波数は別個かつ個別であるが、比較的近くなり得るため、場合によっては、バッテリ寿命が保たれ、あるネットワークオペレータのスペクトル制約により、唯一の選択肢である。さらに、ＨＤ  ＦＤＤを使用する通信は、ＵＡおよびアクセスデバイスの無線周波数（ＲＦ）システム内で必要とされる高価かつ複雑なデュプレクサ設計を回避することができる。
【０００９】
加えて、ＬＴＥ機器および関連プロトコルの現在のバージョンは、その範囲内で任意のＨＤ  ＦＤＤプロトコルが動作しなければならない、いくつかの制約を含む。ここで図１を参照すると、ＨＤ  ＦＤＤに適用可能なフレーム構造が図示されている。この固定フレーム構造内で、時間領域中の種々のフィールドのサイズは、１／（１５，０００＊２０４８）秒に等しい、時間単位Ｔｓの数で表される。図１で図示されるように、ＤＬおよびＵＬ通信は、無線フレーム２に組織化される。各無線フレーム２は、長さＴｆ＝３０７２００＊Ｔｓ＝１０ミリ秒（ｍｓ）であり、０から１９に番号付けされた、長さＴｓｌｏｔ＝１５３６０＊Ｔｓ＝０．５ｍｓの複数のスロット４を含む。サブフレーム６は、サブフレームｉがスロット２ｉおよび２ｉ＋１を含む、２つの連続スロットとして定義される。上記で説明されるように、ＵＬおよびＤＬ通信は、周波数領域中で分離されるが、この固定フレーム構造を使用するＨＤ  ＦＤＤ動作では、ＵＡが同時に伝送および受信することはできない。
【００１０】
サブフレーム６は、上記のスケジューラ動作の結果として、ＵＬまたはＤＬ通信に動的に割り当てられる。ＵＡは、ＵＬ伝送のために別段必要とされないサブフレーム６が、ＵＬおよび／またはＤＬ許諾の割り当てのための物理ダウンリンク制御チャネル（ＰＤＣＣＨ）を含有してもよいことを仮定する。
【００１１】
ＵＬ伝送とＤＬ受信とを切り替える時、必要な切替時間はアクセスデバイスによって決定づけられる。しかしながら、ＤＬ受信とＵＬ伝送とを切り替える時、ＧＰがダウンリンクサブフレームの終了時に提供される。したがって、ＨＤ  ＦＤＤ動作のために、ＧＰは、同じＵＡからのＵＬサブフレームの直前のＤＬサブフレームの最後の部分を受信しないことにより、ＵＡによって作成される。よって、保留期間の長さは、符号レベルの粒度で調整可能であり、セル特有であってもよく、またはＵＡ特有のタイミング前進値と関連してもよいが、ＵＡは、ＧＰに適応するために、後続ＵＬサブフレームの前の最後のＤＬサブフレームの少なくとも一部を受信することを差し控える。
【発明の概要】
【発明が解決しようとする課題】
【００１２】
したがって、現在のＬＴＥ機器および関連プロトコル内でＨＤ  ＦＤＤを実装するために必要なＧＰに適応する一方で、後続ＵＬサブフレームの前の最後のＤＬサブフレームの少なくとも一部の必要な損失に対処してＧＰに適応する、システムおよび方法を有することが望ましいであろう。
【課題を解決するための手段】
【００１３】
ここで、本開示のより完全な理解のために、添付の図面および発明を実施するための形態と関連して、以下の簡単な説明を参照し、類似参照数字は、類似部品を表す。
本願発明は、例えば、以下の項目を提供する。
（項目１）
ハーフデュプレックス（ＨＤ）周波数分割二重（ＦＤＤ）プロトコルに従ってアクセスデバイスと通信するようにユーザエージェント（ＵＡ）を操作する方法であって、
該アクセスデバイスから複数のダウンリンク（ＤＬ）サブフレームを受信することと、
該アクセスデバイスからの後続ＤＬサブフレームの受信中に、該アクセスデバイスから該ＵＡへの該後続ＤＬサブフレームの伝送と関連する伝搬遅延と実質的に一致する、保護期間（ＧＰ）を投入することと、
該複数のＤＬサブフレームおよび該後続ＤＬサブフレームに含まれるデータを実質的に同様に処理することと
を含む、方法。
（項目２）
データを処理することは、該データの中の個々の符号を連続的に復調して制御符号を識別することを試行することを含み、非制御符号は、無視される、項目１に記載の方法。
（項目３）
前記ＤＬと関連する前記伝搬遅延およびアップリンク（ＵＬ）と関連する伝搬遅延は、第４のＵＬ伝送サブフレームの終了時にＧＰと整合され、該ＧＰは、該ＵＬおよびＤＬ伝搬遅延に一致するように短縮される、項目１に記載の方法。
（項目４）
前記ＧＰの投入を周期的に差し控え、前記複数のＤＬサブフレームの中の第４のＤＬサブフレームの後に、前記アクセスデバイスからの伝送を監視し続けることをさらに含む、項目１に記載の方法。
（項目５）
前記ＧＰの前記投入を差し控えることは、前記ＵＡが、間近に迫ったＵＬサブフレームが保持できる数よりも少ない、前記アクセスデバイスに伝送するデータを有するときに実施される、項目４に記載の方法。
（項目６）
一連のＵＬサブフレームの中の第１のＵＬサブフレームの終了後に前記データを伝送することをさらに含む、項目５に記載の方法。
（項目７）
前記ＧＰは、少なくとも発振器切替遅延を加えた、前記アクセスデバイスから前記ＵＡへの前記後続ＤＬサブフレームの前記伝送と関連する伝搬遅延に一致する、項目１に記載の方法。
（項目８）
データを処理することは、該データの中の個々の符号を連続的に復調して制御符号を識別することを試行することを含み、制御符号を処理するのみである、項目１に記載の方法。
（項目９）
ＤＬサブフレームの受信する際に、前記ＵＡは、物理制御フォーマット指示チャネル（ＰＣＦＩＣＨ）を復号することを試行し、前記復調が望ましいと前記ＰＣＦＩＣＨが示した場合、前記ＤＬサブフレームの中の次のＯＦＤＭ符号を復調するのみである、項目１に記載の方法。
（項目１０）
ハーフデュプレックス（ＨＤ）周波数分割二重（ＦＤＤ）プロトコルに従ってアクセスデバイスと通信するようにユーザエージェント（ＵＡ）を操作する方法であって、
該アクセスデバイスから３つのダウンリンク（ＤＬ）サブフレームを受信することと、
該アクセスデバイスからの第４のＤＬサブフレームの受信が予定された期間中に保護期間（ＧＰ）を投入することと、
該３つのＤＬサブフレームのみに含まれるデータを処理することと
を含む、方法。
（項目１１）
前記第４のＤＬサブフレームは、前記ＵＡによって受信されない、項目１０に記載の方法。
（項目１２）
前記ＧＰ後に、３つのアップリンク（ＵＬ）サブフレームを前記アクセスデバイスに伝送し、第４のＵＬサブフレームに予定された期間中にいずれのデータも送信しないことをさらに含む、項目１０に記載の方法。
（項目１３）
前記ＧＰは、少なくとも発振器切替遅延を加えた、前記アクセスデバイスから前記ＵＡへの前記後続ＤＬサブフレームの前記伝送と関連する伝搬遅延に一致する、項目１０に記載の方法。
（項目１４）
第１のＤＬサブフレームの受信の際に、前記ＵＡは、物理制御フォーマット指示チャネル（ＰＣＦＩＣＨ）を復号することを試行し、該ＰＣＦＩＣＨを復号できない場合、前記第１のＤＬサブフレームが撤回される、項目１０に記載の方法。
（項目１５）
ＤＬサブフレームの受信の際に、前記ＵＡは、物理制御フォーマット指示チャネル（ＰＣＦＩＣＨ）を復号することを試行し、復調が望ましいと該ＰＣＦＩＣＨが示した場合、該ＤＬサブフレームの中の次の符号を復調するのみである、項目１０に記載の方法。
（項目１６）
４×４ハーフデュプレックス動作パターンのうちの３つのみが、ＵＬおよびＤＬ通信に利用される、項目１０に記載の方法。
（項目１７）
データを処理することは、該データの中の個々の符号を連続的に復調して制御符号を識別することを試行することを含み、非制御符号は、無視される、項目１０に記載の方法。
（項目１８）
前記ＤＬと関連する前記伝搬遅延およびアップリンク（ＵＬ）と関連する伝搬遅延は、第４のＵＬ伝送サブフレームの終了時にＧＰと整合され、前記ＧＰは、該ＵＬおよびＤＬ伝搬遅延に一致するように短縮される、項目１０に記載の方法。
（項目１９）
前記ＧＰの持続時間は、前記アクセスデバイスから前記ＵＡへの前記後続ＤＬサブフレームの前記伝送と関連する伝搬遅延と実質的に一致する、項目１０に記載の方法。
（項目２０）
ハーフデュプレックス（ＨＤ）周波数分割二重（ＦＤＤ）プロトコルに従ってアクセスデバイスと通信するように構成される、ユーザエージェント（ＵＡ）であって、
該アクセスデバイスから複数のダウンリンク（ＤＬ）サブフレームを受信することと、
該アクセスデバイスからの後続ＤＬサブフレームの受信中に、該アクセスデバイスから該ＵＡへの該後続ＤＬサブフレームの伝送と関連する伝搬遅延と実質的に一致する、保護期間（ＧＰ）を投入することと、
該複数のＤＬサブフレームおよび該後続ＤＬサブフレームに含有されるデータを、実質的に同様に処理することと
を行うように構成される、ＵＡ。
（項目２１）
前記データを処理する際に、前記ＵＡは、該データの中の個々の符号を連続的に復調して制御符号を識別することを試行するように構成され、非制御符号は、無視される、項目２０に記載のＵＡ。
（項目２２）
前記ＤＬと関連する前記伝搬遅延およびアップリンク（ＵＬ）と関連する伝搬遅延は、第４のＵＬ伝送サブフレームの終了時にＧＰと整合され、該ＧＰは、該ＵＬおよびＤＬ伝搬遅延に一致するように短縮される、項目２０に記載のＵＡ。
（項目２３）
前記ＧＰの前記投入を周期的に差し控えるように構成され、前記複数のＤＬサブフレームの中の第４のＤＬサブフレームの後に、前記アクセスデバイスからの伝送を監視し続ける、項目２０に記載のＵＡ。
（項目２４）
前記ＧＰの前記投入を差し控えるステップは、前記ＵＡが、間近に迫ったＵＬサブフレームが保持できる数よりも少ない、前記アクセスデバイスに伝送するデータを有するときに、実施される、項目２３に記載のＵＡ。
（項目２５）
前記ＧＰは、少なくとも発振器切替遅延を加えた、前記アクセスデバイスから前記ＵＡへの前記後続ＤＬサブフレームの前記伝送と関連する伝搬遅延に一致する、項目２０に記載のＵＡ。
（項目２６）
ハーフデュプレックス（ＨＤ）周波数分割二重（ＦＤＤ）プロトコルに従ってアクセスデバイスと通信するように構成されるユーザエージェント（ＵＡ）であって、
該アクセスデバイスから３つのダウンリンク（ＤＬ）サブフレームを受信することと、
該アクセスデバイスからの第４のＤＬサブフレームの受信が予定された期間中に保護期間（ＧＰ）を投入することと、
該３つのＤＬサブフレームのみに含有されるデータを処理することと
を行うように構成される、ＵＡ。
（項目２７）
前記第４のＤＬサブフレームは、前記ＵＡによって受信されない、項目２６に記載のＵＡ。
（項目２８）
前記ＧＰ後に、前記ＵＡは、３つのアップリンク（ＵＬ）サブフレームを前記アクセスデバイスに伝送し、第４のＵＬサブフレームに予定された期間中にいずれのデータも送信しないように構成される、項目２６に記載のＵＡ。
（項目２９）
前記ＧＰは、少なくとも発振器切替遅延を加えた、前記アクセスデバイスから前記ＵＡへの前記後続ＤＬサブフレームの前記伝送と関連する伝搬遅延に一致する、項目２６に記載のＵＡ。
（項目３０）
第１のＤＬサブフレームの受信時に、前記ＵＡは、物理制御フォーマット指示チャネル（ＰＣＦＩＣＨ）を復号することを試行し、前記ＰＣＦＩＣＨを復号できない場合、前記第１のＤＬサブフレームを撤回するように構成される、項目２６に記載のＵＡ。
【図面の簡単な説明】
【００１４】
【図１】図１は、現在のＬＴＥ機器および関連プロトコル内でＨＤ  ＦＤＤに適用可能なフレーム構造の略図である。
【図２】図２は、ＨＤ  ＦＤＤ過程およびＧＰ取扱プロトコルを実装するように構成される、ユーザエージェント（ＵＡ）、アクセスデバイス、および移動度管理エンティティ（ＭＭＥ）を含む、無線通信システムの略図である。
【図３】図３は、ＨＤ  ＦＤＤプロトコルに入るための過程のステップを記載するフローチャートである。
【図４】図４は、フレーム構造およびＧＰ取扱プロトコルの略図である。
【図５】図５は、図５で図示されたフレーム構造およびＧＰ取扱プロトコルを使用して通信するための方法のステップを記載する、フローチャートである。
【図６】図６は、フレーム構造および別のＧＰ取扱プロトコルの略図である。
【図７】図７は、本開示の種々の実施形態のうちのいくつかとともに動作可能なユーザエージェントを含む、無線通信システムの略図である。
【図８】図８は、本開示の種々の実施形態のうちのいくつかとともに動作可能なユーザエージェントのブロック図である。
【図９】図９は、本開示の種々の実施形態のうちのいくつかとともに動作可能なユーザエージェント上に実装されてもよい、ソフトウェア環境の略図である。
【図１０】図１０は、本開示の種々の実施形態のうちのいくつかのために好適である、例示的な汎用コンピュータシステムである。
【発明を実施するための形態】
【００１５】
本開示は、ハーフデュプレックス（ＨＤ）周波数分割二重（ＦＤＤ）プロトコルに従って、通信セル内に位置するユーザエージェント（ＵＡ）およびアクセスデバイスを操作するためのシステムおよび方法を提供することによって、上記の欠点を克服する。
【００１６】
方法は、アクセスデバイスから３つのダウンリンク（ＤＬ）サブフレームを受信し、アクセスデバイスからの第４のＤＬサブフレームの受信中に、アクセスデバイスからＵＡへの第４のＤＬサブフレームの伝送と関連する伝搬遅延と実質的に一致する、保護期間（ＧＰ）を投入するように、ＵＡを操作するステップを含んでもよい。また、方法は、３つのＤＬサブフレームおよび第４のＤＬサブフレームに含有されるデータを、実質的に同様に処理するように、ＵＡを操作するステップも含む。ＵＡによる第４のサブフレームの中のデータの処理は、データの中の個々の符号を連続的に復調して制御符号を識別し、非制御符号を無視することを試行するステップを含んでもよい。
【００１７】
さらに、方法は、アクセスデバイスから３つのダウンリンク（ＤＬ）サブフレームを受信し、アクセスデバイスからの第４のＤＬサブフレームの受信が予定された期間中に保護期間（ＧＰ）を投入するように、ＵＡを操作するステップを含んでもよい。方法はまた、３つのＤＬサブフレームのみに含有されるデータを処理するように、ＵＡを操作するステップも含む。この目的を達成するために、ＵＡは、第４のＤＬサブフレームおよび次のＧＰを受信しなくてもよく、ＵＡは、３つのアップリンク（ＵＬ）サブフレームをアクセスデバイスに伝送してもよく、第４のＵＬサブフレームに予定された期間中にいずれのデータも送信しなくてもよい。
【００１８】
ここで、付属の図面を参照して本開示の種々の側面を説明し、類似数字は、全体を通して類似または対応する要素を指す。しかしながら、図面およびそれに関する詳細な説明は、請求された主題を開示される特定の形態に限定することを目的としないことを理解されたい。むしろ、請求された主題の精神および範囲内に入る、全ての修正、同等物、および代替案を網羅することを意図する。
【００１９】
本明細書で使用されるように、「構成要素」、「システム」、および同等物という用語は、コンピュータ関連エンティティ、ハードウェア、ハードウェアおよびソフトウェアの組み合わせ、ソフトウェア、または実行中のソフトウェアを指すことを目的とする。例えば、構成要素は、プロセッサ上で作動する過程、プロセッサ、オブジェクト、実行ファイル、実行のスレッド、プログラム、および／またはコンピュータであってもよいが、それらであることに限定されない。例証として、コンピュータ上で作動するアプリケーションおよびコンピュータの両方が構成要素となり得る。１つ以上の構成要素は、実行の過程および／またはスレッド内に存在してもよく、構成要素は、１つのコンピュータ上に限局し、および／または２つ以上のコンピュータの間に分布してもよい。
【００２０】
「例示的な」という言葉は、実施例、事例、または例証としての機能を果たすことを意味するために、本明細書で使用される。「例示的な」として本明細書で説明される任意の側面または設計は、必ずしも他の側面または設計を比べて好ましい、または有利であるとして解釈されるわけではない。
【００２１】
さらに、開示された主題は、コンピュータまたはプロセッサベースのデバイスを制御して、本明細書で詳述される側面を実装するように、ソフトウェア、ファームウェア、ハードウェア、またはそれらの任意の組み合わせを生産する標準プログラミングおよび／またはエンジニアリング技法を使用して、システム、方法、装置、または製造品として実装されてもよい。本明細書で使用されるような「製造品」（または代替として「コンピュータプログラム製品」）という用語は、任意のコンピュータデバイス、キャリア、または媒体からアクセス可能なコンピュータプログラムを包含することを目的とする。例えば、コンピュータ可読メディアは、磁気記憶デバイス（例えば、ハードディスク、フロッピー（登録商標）ディスク、磁気ストライプ、および同等物）、光ディスク（例えば、コンパクトディスク（ＣＤ）、デジタル多用途ディスク（ＤＶＤ）、および同等物）、スマートカード、およびフラッシュメモリデバイス（例えば、カード、スティック、および同等物）を含むことができるが、それらに限定されない。加えて、電子メールを伝送および受信する際に、あるいはインターネットまたはローカルエリアネットワーク（ＬＡＮ）等のネットワークにアクセスする際に使用されるもの等の、コンピュータ可読電子データを搬送するために、搬送波を採用できることを理解されたい。当然ながら、当業者であれば、請求された主題の範囲および精神から逸脱することなく、多くの修正がこの構成に行われてもよいことを認識するであろう。
【００２２】
ここで、いくつかの図の全体を通して類似番号が同様の要素に対応する図面を参照し、より具体的には、図２を参照すると、ロングタームエボリューション（ＬＴＥ）制御プレーンプロトコルスタックを図示する、ブロック図が示されている。ＵＡ１０は、進化型ノードＢ等のアクセスデバイス１２および移動度管理エンティティ（ＭＭＥ）１４の両方と通信する。種々の層が、制御プレーンプロトコルスタックの中で図示されている。ノンアクセスストラタム（ＮＡＳ）層１５は、移動度およびセッション管理を取り扱う。パケットデータコンバージェンスプロトコル（ＰＤＣＰ）層１６は、ＵＡ１０上およびアクセスデバイス１２上の両方に図示されている。ＰＤＣＰ層１６は、インターネットプロトコル（ＩＰ）ヘッダ圧縮および解凍、ユーザデータの暗号化、ユーザデータの転送、および無線ベアラ用のシーケンス番号（ＳＮ）の維持を実施する。
【００２３】
ＰＤＣＰ層１６より下には、アクセスデバイス１２上の無線リンク制御プロトコル層と通信する無線リンク制御（ＲＬＣ）プロトコル層１８がある。理解されるように、通信は、図２で図示されたもの等のプロトコルスタックの中の物理層を通して発生する。しかしながら、ＵＡのＲＬＣ層１８からのＲＬＣプロトコルデータ単位（ＰＤＵ）は、アクセスデバイス１２上のＲＬＣ層によって解釈される。ＲＬＣ層１８より下には、媒体アクセス制御（ＭＡＣ）データ通信プロトコル層２０がある。当業者によって理解されるように、ＲＬＣおよびＭＡＣプロトコルは、ＬＴＥ無線インターフェースのデータリンク副層を形成し、ＬＴＥにおいてアクセスデバイス１２上およびＵＡ１０上に存在する。物理層２２と呼ばれる層１（Ｌ１）ＬＴＥは、ＲＬＣ／ＭＡＣ層１８および２０より下にあり、標識が示唆するように、通信用の物理層である。
【００２４】
依然として図２を参照すると、制御プレーンは、ＵＡ１０とアクセスデバイス１２との間の無線リソースの割当、構成、および解放に関与するプロトコルスタックの一部である、無線リソース制御（ＲＲＣ）プロトコル層２４を含む。ＬＴＥ用のＲＲＣプロトコルの基本機能性は、参照することにより本明細書に組み込まれる、３ＧＰＰ  ＴＲ３６．３００およびＴＳ３６．３３１で説明されている。
【００２５】
アクセスデバイス１２は、いくつかの機能をホストする。例えば、アクセスデバイス１２は、無線ベアラ制御、無線許可制御、接続移動度制御、ＵＬおよびＤＬスケジューリングの両方におけるＵＡへのリソースの動的割当を含む、無線リソース管理をホストする。アクセスデバイス１２はまた、ＩＰヘッダ圧縮およびユーザデータストリームの暗号化、ＵＡアタッチメントにおけるＭＭＥの選択、供給ゲートウェイに向かったユーザプレーンデータのルーティング、（ＭＭＥから発信される）ページングメッセージのスケジューリングおよび伝送、放送情報のスケジューリングおよび伝送、ならびに移動度およびスケジューリングの測定および測定報告構成もホストする。
【００２６】
ＭＭＥ１４はまた、アクセスデバイス１２へのページングメッセージの配信、セキュリティ制御、アイドル状態移動度制御、進化型パケットコア（ＥＰＣ）ベアラ制御、ならびにノンアクセスストラタム（ＮＡＳ）信号伝達の暗号化および完全性保護を含む、いくつかの機能もホストする。
【００２７】
ここで図３を参照すると、二重化方法を判定するためのＵＡ１０とアクセスデバイス１２との間の例示的な通信プロトコルが図示されている。過程は、ＵＡが所与のセル内でアクティブ状態に入る、またはアクティブになる、過程ブロック２６で始まる。最初に、決定ブロック２８で、ＵＡおよび／またはアクセスデバイスは、ＨＤ  ＦＤＤプロトコルを利用することができる、またはＨＤ  ＦＤＤプロトコルが利用されるべきであるという、いくつかの潜在的な指標のうちの１つを探す。第１に、ＵＡは、セルがＨＤ  ＦＤＤ動作を必要とするという指示に応じて、セル内のアクセスデバイスから通知を受信してもよい。第２に、ＵＡは、ＨＤ  ＦＤＤを実施するように構成されるのみであってもよく、したがって、そのようなものをアクセスデバイスに示す。最終的に、ＵＡは、ＵＬおよびＤＬ通信用の周波数対合から、周波数の近接近性により、ＨＤ  ＦＤＤがセル内で必要とされることを判定してもよい。これらの判定のうちのいずれかが決定ブロック２８において行われた場合、ブロック３０で、ＵＡおよびアクセスデバイスは、以下で詳細に説明されるＨＤ  ＦＤＤプロトコルのうちの１つに従って動作する。
【００２８】
いずれの判定もブロック２８で行われない場合、ランダムアクセス（ＲＡ）手順がブロック３２でＨＤ  ＦＤＤプロトコルにおいて開始される。その後、ＵＡは、不連続伝送（ＤＴＸ）モードになり、ＵＬスケジューリング許諾を搬送する、アクセスデバイスからの物理ＤＬ制御チャネル（ＰＤＣＣＨ）通信を監視する。受信／伝送が予定されていない時に、ある構成要素をスリープモードにすることができるため、ＵＡは、有利なことに、アクセスデバイスによって決定付けられるように、または不連続受信（ＤＲＸ）およびＤＴＸモード等の独自のスリープモード決定を実装することにより、そのバッテリ寿命を延長できることに留意されたい。
【００２９】
ＰＤＣＣＨが受信されると、ＵＡはＵＬスケジューリング許諾を有し、ブロック３６で、無線リソース制御（ＲＲＣ）通信を待ち、それはとりわけ、セル内の二重化がＨＤ  ＦＤＤプロトコルに従って動作するべきであるという指示を含んでもよい。決定ブロック３８では、セル内の動作がＨＤ  ＦＤＤ動作に従うべきであるとＲＲＣが示す場合、過程ブロック３０で、ＵＡがそれに応じて動作を開始する。しかしながら、決定ブロック３８で、ＨＤ動作がセル内で使用されるべきであるとＲＲＣが示さない場合、過程ブロック４０で、ＵＡが標準的な非ＨＤ、ＦＤＤ動作に従って動作する。
【００３０】
上記で説明されるように、現在のＬＴＥ機器および関連プロトコルでは、ＵＬ通信とＤＬ通信との間の変更時にＨＤ  ＦＤＤ中でＧＰが使用される。図４を参照すると、ＧＰによって引き起こされる損失にもかかわらず、全てのＤＬ受信を処理することを試行するように設計されている、ＧＰを取り扱うための１つの方法が図示されている。図４は、ＵＡの予測からのＵＬ伝送およびＤＬ受信を指すことに留意されたい。
【００３１】
図１に関して上記で説明されるように、このフレーム構造内で、時間領域中の種々のフィールドのサイズは、１／（１５，０００＊２０４８）秒に等しい、時間単位Ｔｓの数として表される。ＤＬおよびＵＬ通信は、長さＴｆ＝３０７２００＊Ｔｓ＝１０ミリ秒（ｍｓ）であり、Ｔｓｌｏｔ＝１５３６０＊Ｔｓ＝０．５ｍｓの長さを有する２０個のスロット４を含む、無線フレーム２に組織化される。サブフレーム６は、サブフレームｉがスロット２ｉおよび２ｉ＋１を含む、２つの連続スロットとして定義される。
【００３２】
いくつかの機器および関連プロトコルは、スケジューリングの複雑性を単純化し、ＤＬ受信およびＵＬ伝送活動の潜在的対立を回避するために、固定動作パターンを使用する。この固定パターンにより、ＨＤ  ＵＡのハイブリッド自動反復要求（ＨＡＲＱ）動作が、その後に４つのＵＬサブフレーム４４が続く、４つのＤＬサブフレーム４２の特定サイクルによって支配される。４×４構造が、主にＨＡＲＱフィードバックのために課される。以下で説明されるように、ＵＬおよびＤＬサブフレームと上記で説明されるようなＧＰ４８との間に、オフセット４６がある。
【００３３】
上記でも説明されるように、ＵＬおよびＤＬ伝送は、周波数領域中で分離されるが、ＨＤ  ＦＤＤ動作では、ＵＡが同時に伝送および受信することはできない。ＵＡからのアップリンク無線フレーム番号ｉの伝送は、ＵＡにおける対応するダウンリンク無線フレームの開始の（ＮＴＡ＋ＮＴａｏｆｆｓｅｔ）＊Ｔｓ秒前である、オフセット４６の後に開始するものである。例えば、ＮＴＡおよびＮＴａｏｆｆｓｅｔは、ＨＤ  ＦＤＤについて、それぞれ、６１４および０に等しくてもよい。したがって、この変換によって、ＧＰは、任意の伝搬遅延を加えた、約２０μｓである。しかしながら、本開示によれば、ＧＰは、任意の伝搬遅延の量までしかさらに短縮されなくてもよいことが検討される。
【００３４】
そうするために、ＵＬおよびＤＬ伝搬遅延は、第４のＵＬ伝送サブフレームの終了時にＧＰと整合され、ＧＰは、ＵＬおよびＤＬ伝搬遅延に一致するように短縮される。この場合、ＧＰは、可能な限り物理的最小値まで短縮され、受信サブフレームの最後の部分が失われる。
【００３５】
例えば、１キロメートルの直径を有するセルを考慮する。伝搬遅延は、一方向において３×１０＾８または３．３マイクロ秒で割られる１０００メートルとなる。現在のＬＴＥ基準において、変調された符号を表す複数の副搬送波である、直交周波数分割多重（ＯＦＤＭ）符号は、１４で割られた０．００１、または７１．４マイクロ秒の長さである。よって、最小限化されたＧＰにより、最後のＯＦＤＭ符号の６．６を差し引いた７１．４、または６４．８マイクロ秒のみが残る。これは、最後のサブフレームの符号に対するリンク性能を低減し、伝搬遅延が長いほど、さらなる劣化が発生する。
【００３６】
このレベルの劣化が容認可能である状況があってもよいことが検討される。もしそうであれば、最後の符号を標準として容易に処理することができる。もしそうでなければ、より保守的な変調および符号化スキーム（ＭＣＳ）が、最後の伝送サブフレームの中で伝送されるリソースブロックのために、アクセスデバイスによって使用されてもよい。代替として、最後のＯＦＤＭ符号を満たさない、より小さい輸送ブロックサイズを有する、新規物理リソースブロックが作成されてもよい。
【００３７】
また、ＵＬ負荷条件を踏まえて、ＵＡがＵＬ確認（ＡＣＫ）／否定ＡＣＫ（ＮＡＣＫ）で応答する必要がない場合に、第１のアップリンクサブフレームの中のアップリンク上で伝送する必要がなければ、第４の受信サブフレームの終わりまで監視してもよいことに留意されたい。したがって、ＵＡは、物理リソースブロック全体を受信することができ、最後のＯＦＤＭ符号または２つ以上の符号を失わない。これは、２つの技法を可能にする。第１に、アクセスデバイスは、保守的に第４のサブフレーム上で送信せず、ＵＡは、可能な限りＵＬ伝送の第２のサブフレームの中で伝送することを試行し、アクセスデバイスは、可能な限り第２のＵＬ伝送サブフレームの中で予定を決めようとする。第２に、アクセスデバイスは、保守的に送信し、わずかな容量損失があってもよい。
【００３８】
２つの発振器を伴う設計が考慮されてもよいが、そのような構成は、少ない費用およびより有意なバッテリ消費を追加する。したがって、ＵＡ用のいくつかのハードウェア構成は、ＵＬ伝送およびＤＬ受信のために共有される、１つだけのデュプレクサおよび１つの発振器を含んでもよい。この場合、デュプレクサおよび発振器をＵＬハードウェアまたはＤＬハードウェアに選択的に接続するために、スイッチが使用される。この構成が有意なバッテリ節約を可能にすることに留意されたい。具体的には、伝送器および受信機は、それらの切替が保護帯域のサイズに寄与しないように、ＤＬ受信からＵＬ伝送への伝送時にオンでなければならない。しかしながら、４サブフレーム期間の大部分にわたって、一方または他方をオフにすることができる。
【００３９】
そのような構成では、単一の発振器が周波数およびその位相ロックループ（ＰＬＬ）を変化させて、新規動作周波数に定着することを可能にするように、約１００μｓの切替時間がハードウェアによって課される。よって、いくつかの設定では、ＧＰが、伝搬および切替遅延に適応するように、任意の伝搬遅延を加えた１００μｓから１２０μｓの間の期間となることが有利であってもよい。実際に、この過程は、最後の符号のうちの２つの損失へと前進させることができ、そこから、発振器切替時間等の他の要因がＧＰに加わり始めるにつれて、より実現可能となる。
【００４０】
加えて、上記のＧＰ最小限化プロトコルは、有意なスループットを可能にする。具体的には、時間の５０パーセントでデータを受信および伝送することができるが、最後のＤＬ  ＯＦＤＭ符号が失われた場合、わずかなスループット劣化が生じる。
【００４１】
上記で説明されるように、ＧＰを、セル内の伝搬遅延の持続時間である、その最小値まで短縮できない理由があってもよい。ＧＰが切替および同等物と関連する遅延に適応するように増大するにつれて、第４のサブフレームのＰＤＳＣＨが縮小し始める。いくつかの構成では、ＰＤＳＣＨが処理されなくてもよく、ＵＡがサブフレームの制御部分に集中するのみであることが検討される。具体的には、ＵＡは、最初のいくつかのＯＦＤＭ符号（例えば、最初の３つのＯＦＤＭ符号）がＰＤＣＣＨ伝送に使用されてもよく、それらを処理することができる２つの方法があることを知っている。１うの方法は、ＵＡが、各符号を着信するにつれて処理し、図４のステップに従うことである。ＵＡは、復号するにつれて、ＰＤＣＣＨ  ＵＬ許諾（ＤＣＩフォーマット０）、ＰＵＣＣＨ／ＰＵＳＣＨ出力制御（ＤＣＩフォーマット３）、物理ＨＡＲＱ指示チャネル（ＰＨＩＣＨ）、および物理制御フォーマット指示チャネル（ＰＣＦＩＣＨ）を受信することを試行するのみとなる。
【００４２】
ＰＨＩＣＨは、ＵＬ伝送の成功を監視するために使用され、ＰＣＦＩＣＨは、ダウンリンクサブフレームの中の制御部分に使用される２つまたは３つの符号があるかどうかを知るために必要とされる。ＰＤＳＣＨが放棄されてもよいため、ＰＤＣＣＨは、ＵＬ伝送のために必要とされる情報を搬送するのみとなる。これは、出力制御およびＵＬ許諾情報のみが伝達されることを意味する。
【００４３】
図５を参照すると、そのような過程は、過程ブロック５０において第１のＤＬ符号を受信し、復調するＵＡから開始する。第１のＤＬ符号は、制御チャネル情報に使用される符号の数（２から４）についての情報を有する、２ビットＰＣＦＩＣＨを含有する。よって、第１の符号の受信時に、ＵＡが過程ブロック５２においてＰＣＦＩＣＨを復号する。その後、ＵＡは、決定ブロック５４で復号が成功したかどうかをチェックする。ＵＡは、最初の４つの符号を読み取り、ＰＣＦＩＣＨを復号し、制御データ構成を判定し、それに応じてデータを復号してもよいことが検討される。別のオプションは、ＵＡが第１のＤＬ受信符号を読み取り、ＰＣＦＩＣＨを復号することである。次いで、それは、いくつの合計符号がＰＤＣＣＨの中にあるかを知る。しかしながら、ＵＡは、ＰＣＦＩＣＨを復号できなければ、サブフレーム全体を撤回するか、または復号することを試行しない。ＰＣＦＩＣＨを復号することができる場合には、２つ、３つ、または４つの符号が制御データの一部であるかどうかを判定することによって、図５で図示されたものと同様の過程に従うことができる。
【００４４】
過程ブロック５６では、ＵＡは、第２の符号を復調して記憶し、次いで、ブロック５８でＰＣＦＩＣＨが３つの符号以上であったかどうかをチェックする。２つの符号が必要とされる場合には、第３および第４の符号が破棄され、残りの符号が標準として解釈される。３つ以上の符号が必要とされる場合、過程ブロック６０で第３の符号が復調され、記憶される。決定ブロック６２では、ＵＡは、ＰＣＩＦＣＨが４つの符号に等しいかどうかをチェックする。もしそうでなければ、第４の符号が破棄される。しかしながら、ＰＣＦＩＣＨが４つの符号に等しい場合、過程ブロック６４で第４の符号が復調され、記憶される。
【００４５】
よって、上記の過程は、場合によっては、第３または第４の符号を復調するエネルギーを節約するという利点を提供する。このスキームは、ＤＬオン時間の割合が５０パーセントになるように動作するが、８つのサブフレームのうちの３つのみを、ＤＬ伝送を受信するために使用することができる。したがって、利用可能な時間の３７．５パーセントを、ＤＬにおいてユーザデータを受信するために使用することができ、それは、図４に関して説明されるＧＰ最小限化方法で達成される５０パーセントより少ない。
【００４６】
上記の過程を超えて、３×３動作パターンで動作するように４×４ＨＤ動作パターンを修正できることが検討される。図６を参照すると、各ＵＬまたはＤＬ４サブフレームセット４２の第４のサブフレームの中の情報を放棄することによって、３×３パターンとして動作するように固定４×４パターンを修正することができる。よって、ＤＬ受信およびＵＬ伝送のための３つだけのサブフレームが使用され、それは対称性を維持する。さらに、現在のＬＴＥ機器および関連プロトコルにおいて特定されるＨＡＲＱ手順内にとどまりながら、３×３パターンを容易に実装することができる。
【００４７】
３×３フレーム構造は、その内側でＤＬ受信からＵＬ伝送のＧＰに物理的に適応する、大きい間隙を提供する。それはまた、前述の方法よりもエネルギー効率的である。しかしながら、ＤＬ受信およびＵＬ伝送帯域幅は、利用可能な全対域幅の３／７または４３パーセントまで縮小されることに留意されたい。これは、図４に関して説明される方法と比較すると、ＵＬ伝送の７パーセントの損失を意味するが、図５に関して説明される方法と比べて、ＤＬ受信の５．５パーセントの獲得を意味する。
【００４８】
ここで図７を参照すると、ＵＡ１０の実施形態を含む、無線通信システムが図示されている。ＵＡ１０は、本開示の側面を実装するために動作可能であるが、本開示は、これらの実装に限定されるべきではない。携帯電話として図示されているが、ＵＡ１０は、無線ハンドセット、ポケットベル、携帯情報端末（ＰＤＡ）、携帯用コンピュータ、タブレットコンピュータ、またはラップトップコンピュータを含む、種々の形態を成してもよい。多くの好適なデバイスは、これらの機能のうちのいくつかまたは全てを組み合わせる。本開示のいくつかの実施形態では、ＵＡ１０は、携帯用、ラップトップ、またはタブレットコンピュータのような汎用コンピュータデバイスではなく、むしろ、携帯電話、無線ハンドセット、ポケットベル、ＰＤＡ、または車両に設置された電気通信デバイス等の特殊用途通信デバイスである。ＵＡはまた、デスクトップコンピュータ、セットトップボックス、またはネットワークノード等の、同様の能力を有するが運搬可能ではないデバイスであってもよく、デバイスを含んでもよく、またはデバイスに含まれてもよい。ＵＡ１０は、ゲーム、在庫管理、ジョブ制御、および／またはタスク管理機能等の、特殊活動をサポートしてもよい。
【００４９】
ＵＡ１０は、ディスプレイ７０２を含む。ＵＡ１０はまた、ユーザによる入力のために、概して７０４と呼ばれる、タッチセンサ式表面、キーボード、または他の入力キーも含む。キーボードは、ＱＷＥＲＴＹ、Ｄｖｏｒａｋ、ＡＺＥＲＴＹ、および逐次タイプ等の、完全または縮小英数キーボード、または電話キーパッドと関連するアルファベット文字を伴う従来の数字キーパッドであってもよい。入力キーは、さらなる入力機能を提供するように内向きに押下されてもよい、トラックホイール、終了またはエスケープキー、トラックボール、および他のナビゲーションまたは機能キーを含んでもよい。ＵＡ１０は、ユーザが選択するためのオプション、ユーザが作動させるための制御、および／またはユーザが指図するためのカーソルあるいは他の指標を提示してもよい。
【００５０】
ＵＡ１１０はさらに、ダイヤルする番号、またはＵＡ１１０の動作を構成するための種々のパラメータ値を含む、ユーザからのデータ入力を受け取ってもよい。ＵＡ１０はさらに、ユーザコマンドに応じて、１つ以上のソフトウェアまたはファームウェアアプリケーションを実行してもよい。これらのアプリケーションは、ユーザ対話に反応して種々のカスタマイズされた機能を果たすようにＵＡ１０を構成してもよい。加えて、ＵＡ１０は、例えば、無線基地局、無線アクセスポイント、またはピアＵＡ１０から、無線でプログラムおよび／または構成されてもよい。
【００５１】
ＵＡ１０によって実行可能な種々のアプリケーションの中には、ディスプレイ７０２がウェブページを表示することを可能にするウェブブラウザがある。ウェブページは、無線ネットワークアクセスノード、携帯電話の基地局、ピアＵＡ１０、または任意の他の無線通信ネットワークあるいはシステム７００との無線通信を介して、取得されてもよい。ネットワーク７００は、インターネット等の有線ネットワーク７０８に連結される。無線リンクおよび有線ネットワークを介して、ＵＡ１０は、サーバ７１０等の種々のサーバ上の情報にアクセスできる。サーバ７１０は、ディスプレイ７０２上に示されてもよいコンテンツを提供してもよい。代替として、ＵＡ１０は、リレー型またはホップ型の接続で、仲介の役割を果たすピアＵＡ１０を通してネットワーク７００にアクセスしてもよい。
【００５２】
図１５は、ＵＡ１０のブロック図を示す。ＵＡ１０の種々の既知の構成要素が描写されているが、実施形態では、記載された構成要素および／または記載されていない付加的な構成要素の一部が、ＵＡ１０に含まれてもよい。ＵＡ１１０は、デジタル信号プロセッサ（ＤＳＰ）８０２と、メモリ８０４とを含む。示されるように、ＵＡ１０はさらに、アンテナおよびフロントエンドユニット８０６と、無線周波数（ＲＦ）送受信機８０８と、アナログベースバンド処理ユニット８１０と、マイクロホン８１２と、イヤホンスピーカ８１４と、ヘッドセットポート８１６と、入力／出力インターフェース８１８と、可撤性メモリカード８２０と、ユニバーサルシリアルバス（ＵＳＢ）ポート８２２と、短距離無線通信サブシステム８２４と、アラート８２６と、キーパッド８２８と、タッチセンサ式表面を含んでもよい液晶ディスプレイ（ＬＣＤ）８３０と、ＬＣＤコントローラ８３２と、電荷結合素子（ＣＣＤ）カメラ８３４と、カメラコントローラ８３６と、グローバルポジショニングシステム（ＧＰＳ）センサ８３８とを含んでもよい。実施形態では、ＵＡ１０は、タッチセンサ式画面を提供しない、別の種類のディスプレイを含んでもよい。実施形態では、ＤＳＰ８０２は、入力／出力インターフェース８１８を通過せずに、メモリ８０４と直接通信してもよい。
【００５３】
ＤＳＰ８０２または何らかの他の形態のコントローラあるいは中央処理ユニットは、メモリ８０４に記憶された、またはＤＳＰ８０２自体内に含有されるメモリに記憶された、組み込みソフトウェアまたはファームウェアに従って、ＵＡ１０の種々の構成要素を制御するように動作する。組み込みソフトウェアまたはファームウェアに加えて、ＤＳＰ８０２は、メモリ８０４に記憶された、または、可撤性メモリカード８２０のような携帯用データ記憶媒体等の情報担体媒体を介して、あるいは有線または無線ネットワーク通信を介して利用可能となった、他のアプリケーションを実行してもよい。アプリケーションソフトウェアは、所望の機能性を提供するようにＤＳＰ８０２を構成する、コンパイルされた一式の機械可読命令を備えてもよく、または、アプリケーションソフトウェアは、ＤＳＰ８０２を間接的に構成するようにインタープリタまたはコンパイラによって処理される、高次ソフトウェア命令であってもよい。
【００５４】
アンテナおよびフロントエンドユニット８０６は、無線信号と電気信号との間で変換するように提供されてもよく、ＵＡ１０が、セルラーネットワークまたは何らかの他の利用可能な無線通信ネットワークから、あるいはピアＵＡ１０から、情報を送受信することを可能にする。実施形態では、アンテナおよびフロントエンドユニット８０６は、ビーム形成および／または多重入出力（ＭＩＭＯ）動作を支援するように、複数のアンテナを含んでもよい。当業者に公知であるように、ＭＩＭＯ動作は、困難なチャネル条件を克服し、および／またはチャネルスループットを増加させるために使用することができる、空間的多様性を提供してもよい。アンテナおよびフロントエンドユニット８０６は、アンテナ同調および／またはインピーダンス整合構成要素、ＲＦ電力増幅器、および／または低雑音増幅器を含んでもよい。
【００５５】
ＲＦ送受信機８０８は、周波数偏移を提供し、受信したＲＦ信号をベースバンドに変換し、ベースバンド伝送信号をＲＦに変換する。いくつかの説明では、無線送受信機またはＲＦ送受信機は、変調／復調、符号化／復号、インターリービング／デインタリービング、拡散／逆拡散、逆高速フーリエ変換（ＩＦＦＴ）／高速フーリエ変換（ＦＦＴ）、周期的接頭辞添付／除去、および他の信号処理機能等の、他の信号処理機能性を含むと理解されてもよい。簡単にする目的で、ここでの説明は、ＲＦおよび／または無線段階から、この信号処理の説明を分離し、その信号処理を、アナログベースバンド処理ユニット８１０および／またはＤＳＰ８０２あるいは他の中央処理ユニットに概念的に割り当てる。いくつかの実施形態では、ＲＦ送受信機８０８、アンテナおよびフロントエンド８０６の複数部分、およびアナログベースバンド処理ユニット８１０が、１つ以上の処理ユニットおよび／または特定用途向け集積回路（ＡＳＩＣ）に組み入れられてもよい。
【００５６】
アナログベースバンド処理ユニット８１０は、入力および出力の種々のアナログ処理、例えば、マイクロホン８１２およびヘッドセット８１６からの入力、ならびにイヤホン８１４およびヘッドセット８１６への出力のアナログ処理を提供してもよい。そのためには、アナログベースバンド処理ユニット８１０は、ＵＡ１１０が携帯電話として使用されることを可能にする、内蔵マイクロホン８１２およびイヤホンスピーカ８１４に接続するためのポートを有してもよい。アナログベースバンド処理ユニット８１０はさらに、ヘッドセットまたは他のハンズフリーマイクロホンおよびスピーカ構成に接続するためのポートを含んでもよい。アナログベースバンド処理ユニット８１０は、１つの信号方向にデジタル・アナログ変換を、反対の信号方向にアナログ・デジタル変換を提供してもよい。いくつかの実施形態では、アナログベースバンド処理ユニット８１０の機能性の少なくとも一部が、デジタル処理構成要素によって、例えば、ＤＳＰ８０２によって、または他の中央処理ユニットによって提供されてもよい。
【００５７】
ＤＳＰ８０２は、変調／復調、符号化／復号、インターリービング／デインタリービング、拡散／逆拡散、逆高速フーリエ変換（ＩＦＦＴ）／高速フーリエ変換（ＦＦＴ）、周期的接頭辞添付／除去、および無線通信と関連する他の信号処理機能を行ってもよい。実施形態では、例えば、符号分割多重アクセス（ＣＤＭＡ）技術用途で、伝送器機能のために、ＤＳＰ８０２は、変調、符号化、インターリービング、および拡散を行ってもよく、受信機機能のために、ＤＳＰ８０２は、逆拡散、デインターリービング、復号、および復調を行ってもよい。別の実施形態では、例えば、直交周波数分割多重アクセス（ＯＦＤＭＡ）技術用途で、伝送器機能のために、ＤＳＰ８０２は、変調、符号化、インターリービング、逆高速フーリエ変換、および周期的接頭辞添付を行ってもよく、受信機機能のために、ＤＳＰ８０２は、周期的接頭辞除去、高速フーリエ変換、デインターリービング、復号、および復調を行ってもよい。他の無線技術用途では、さらに他の信号処理機能、および信号処理機能の組み合わせが、ＤＳＰ８０２によって行われてもよい。
【００５８】
ＤＳＰ８０２は、アナログベースバンド処理ユニット８１０を介して無線ネットワークと通信してもよい。いくつかの実施形態では、通信は、インターネット接続を提供してもよく、ユーザがインターネット上のコンテンツへのアクセスを獲得することと、およびＥメールまたはテキストメッセージを送受信することとを可能にする。入力／出力インターフェース８１８は、ＤＳＰ８０２ならびに種々のメモリおよびインターフェースを相互接続する。メモリ８０４および可撤性メモリカード８２０は、ソフトウェアおよびデータを提供して、ＤＳＰ８０２の動作を構成してもよい。インターフェースの中には、ＵＳＢインターフェース８２２および短距離無線通信サブシステム８２４があってもよい。ＵＳＢインターフェース８２２は、ＵＡ１０を充電するために使用されてもよく、また、ＵＡ１０が周辺デバイスとして機能し、パーソナルコンピュータまたは他のコンピュータシステムと情報を交換することを可能にしてもよい。短距離無線通信サブシステム８２４は、赤外線ポート、Ｂｌｕｅｔｏｏｔｈインターフェース、ＩＥＥＥ  ８０２．１１準拠無線インターフェース、または、ＵＡ１０が他の近くの移動デバイスおよび／または無線基地局と無線通信することを可能にしてもよい、任意の他の短距離無線通信サブシステムを含んでもよい。
【００５９】
入力／出力インターフェース８１８はさらに、誘起されると、例えば、ベルを鳴らす、メロディを再生する、または振動することによって、ＵＡ１０にユーザへ通知を提供させる、アラート８２６にＤＳＰ８０２を接続してもよい。アラート８２６は、無音で振動することによって、または特定の架電者に対して特定の事前に割り当てられたメロディを再生することによって、着信電話、新しいテキストメッセージ、および予約のリマインダ等の種々の事象のうちのいずれかをユーザに警告するための機構としての機能を果たしてもよい。
【００６０】
キーパッド８２８は、インターフェース８１８を介してＤＳＰ８０２に連結し、ユーザが選択を行う、情報を入力する、あるいはＵＡ１０に入力を提供するための１つの機構を提供する。キーボード８２８は、ＱＷＥＲＴＹ、Ｄｖｏｒａｋ、ＡＺＥＲＴＹ、および逐次タイプ等の、完全または縮小英数字キーボード、または電話キーパッドと関連するアルファベット文字を伴う従来の数字キーパッドであってもよい。入力キーは、さらなる入力機能を提供するように内向きに押下されてもよい、トラックホイール、終了またはエスケープキー、トラックボール、および他のナビゲーションまたは機能キーを含んでもよい。別の入力機構は、タッチスクリーン能力を含み、また、ユーザにテキストおよび／またはグラフィックを表示してもよい、ＬＣＤ８３０であってもよい。ＬＣＤコントローラ８３２は、ＤＳＰ８０２をＬＣＤ８３０に連結する。
【００６１】
ＣＣＤカメラ８３４は、装備された場合、ＵＥ１０がデジタル写真を撮ることを可能にする。ＤＳＰ８０２は、カメラコントローラ８３６を介してＣＣＤカメラ８３４と通信する。別の実施形態では、電荷結合素子カメラ以外の技術に従って動作するカメラが採用されてもよい。ＧＰＳセンサ８３８は、グローバルポジショニングシステム信号を復号するようにＤＳＰ８０２に連結され、それにより、ＵＡ１０がその位置を判定することを可能にする。種々の他の周辺機器もまた、付加的な機能、例えば、ラジオおよびテレビ受信を提供するように含まれてもよい。
【００６２】
図１６は、ＤＳＰ８０２によって実装されてもよい、ソフトウェア環境９０２を図示する。ＤＳＰ８０２は、そこからソフトウェアの他の部分が動作するプラットフォームを提供する、オペレーティングシステムドライバ９０４を実行する。オペレーティングシステムドライバ９０４は、アプリケーションソフトウェアにアクセス可能である標準化インターフェースを伴うＵＡハードウェアに対するドライバを提供する。オペレーティングシステムドライバ９０４は、ＵＡ１０上で作動するアプリケーションの間で制御を転送する、アプリケーション管理サービス（「ＡＭＳ」）９０６を含む。図１０には、ウェブブラウザアプリケーション９０８、メディアプレーヤアプリケーション９１０、およびＪａｖａアプレット９１２も示されている。ウェブブラウザアプリケーション９０８は、ウェブブラウザとして動作するようにＵＡ１０を構成し、ユーザがフォームに情報を入力し、ウェブページを検索および閲覧するようにリンクを選択することを可能にする。メディアプレーヤアプリケーション９１０は、音声または視聴覚媒体を読み出し、再生するようにＵＡ１０を構成する。Ｊａｖａアプレット９１２は、ゲーム、ユーティリティ、および他の機能性を提供するようにＵＡ１０を構成する。構成要素９１４は、本明細書で説明される機能性を提供する場合がある。
【００６３】
上記で説明されるＵＡ１０、アクセスデバイス１２０、および他の構成要素は、上記で説明される動作に関する命令を実行することが可能である、処理構成要素を含む場合がある。図１７は、本明細書で開示される１つ以上の実施形態を実装するために好適な処理構成要素１０１０を含む、システム１０００の実施例を図示する。プロセッサ１０１０（中央プロセッサユニットまたはＣＰＵと呼ばれてもよい）に加えて、システム１０００は、ネットワーク接続デバイス１０２０、ランダムアクセスメモリ（ＲＡＭ）１０３０、読み出し専用メモリ（ＲＯＭ）１０４０、２次記憶装置１０５０、入出力（Ｉ／Ｏ）デバイス１０６０を含む場合がある。いくつかの実施形態では、最小数のＨＡＲＱ過程ＩＤの判定を実装するためのプログラムが、ＲＯＭ１０４０に記憶されてもよい。場合によっては、これらの構成要素のうちのいくつかは、存在しなくてもよく、または、相互と、あるいは示されていない他の構成要素と、種々の組み合わせで組み合わせられてもよい。これらの構成要素は、単一の物理的実体に、または１つより多くの物理的実体に位置する場合がある。プロセッサ１０１０によって取られるものとして本明細書で説明される、任意の動作は、プロセッサ１０１０によって単独で、または、図面に示されている、あるいは示されていない１つ以上の構成要素と併せて、プロセッサ１３１０によって取られる場合がある。
【００６４】
プロセッサ１０１０は、それがネットワーク接続デバイス１０２０、ＲＡＭ１０３０、ＲＯＭ１０４０、または２次記憶装置１０５０（ハードディスク、フロッピー（登録商標）ディスク、または光ディスク等の、種々のディスクベースのシステムを含む場合がある）からアクセスする場合がある、命令、コード、コンピュータプログラム、またはスクリプトを実行する。１つだけのプロセッサ１０１００が示されているが、複数のプロセッサが存在してもよい。したがって、命令は、プロセッサによって実行されるものとして論議されてもよいが、命令は、同時に、連続的に、または別様に、１つまたは複数のプロセッサによって実行されてもよい。プロセッサ１０１０は、１つ以上のＣＰＵチップとして実装されてもよい。
【００６５】
ネットワーク接続デバイス１０２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ）無線送受信機デバイス等の無線送受信機デバイス、マイクロ波アクセス用の世界的相互運用性（ＷｉＭＡＸ）デバイス、および／またはネットワークに接続するための他の周知のデバイスの形態を成してもよい。これらのネットワーク接続デバイス１０２０は、プロセッサ１０１０が情報を受信する場合がある、またはプロセッサ１０１０が情報を出力する場合がある、インターネットまたは１つ以上の電気通信ネットワーク、あるいは他のネットワークと、プロセッサ１０１０が通信することを可能にしてもよい。
【００６６】
ネットワーク接続デバイス１０２０はまた、無線周波数信号またはマイクロ波周波数信号等の電磁波の形態で、データを無線で伝送および／または受信することが可能な１つ以上の送受信機構成要素１０２５も含む場合がある。代替として、データは、導電体の表面の中または上、同軸ケーブルの中、導波管の中、光ファイバ等の光媒体の中、または他の媒体の中で伝播してもよい。送受信機構成要素１０２５は、別個の受信および伝送ユニット、または単一の送受信機を含む場合がある。送受信機１０２５によって伝送または受信される情報は、プロセッサ１０１０によって処理されたデータ、またはプロセッサ１０１０によって実行される命令を含んでもよい。そのような情報は、例えば、コンピュータデータベースバンド信号または搬送波で具現化された信号の形態で、ネットワークから受信され、ネットワークに出力されてもよい。データは、データを処理または生成するか、あるいはデータを伝送または受信するために望ましくてもよいような異なる順序に従って、順序付けられてもよい。ベースバンド信号、搬送波に組み込まれた信号、または、現在使用されている、あるいは今後開発される他の種類の信号が、伝送媒体と呼ばれてもよく、当業者に周知のいくつかの方法に従って生成されてもよい。
【００６７】
ＲＡＭ１０３０は、揮発性データを記憶するために、および、おそらくプロセッサ１０１０によって実行される命令を記憶するために、使用される場合がある。ＲＯＭ１０４０は、典型的には２次記憶装置１０５０のメモリ容量よりも小さいメモリ容量を有する、不揮発性メモリデバイスである。ＲＯＭ１０４０は、命令、およびおそらく命令の実行中に読み出されるデータを記憶するために、使用される場合がある。ＲＡＭ１０３０およびＲＯＭ１０４０の両方へのアクセスは、典型的には、２次記憶装置１０５０へのアクセスよりも速い。２次記憶装置１０５０は、典型的には、１つ以上のディスクドライブまたはテープドライブから成り、ＲＡＭ１０３０が全作業データを保持するほど十分に大きくない場合に、データの不揮発性記憶のために、またはオーバーフローデータ記憶デバイスとして使用される場合がある。２次記憶装置１０５０は、ＲＡＭ１０３０にロードされるプログラムが実行のために選択されると、そのようなプログラムを記憶するために使用されてもよい。
【００６８】
Ｉ／Ｏデバイス１０６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入力デバイスを含んでもよい。また、送受信機１０２５は、ネットワーク接続デバイス１０２０の構成要素である代わりに、またはそれに加えて、Ｉ／Ｏデバイス１０６０の構成要素と見なされる場合がある。Ｉ／Ｏデバイス１０６０のいくつかまたは全ては、ディスプレイ７０２および入力７０４等の、ＵＡ１０の前述の図面に描写された種々の構成要素と実質的に同様であってもよい。
【００６９】
ＴＳ  ３６．３２１、ＴＳ  ３６．３３１、およびＴＳ  ３６．３００といった、３ｒｄ  Ｇｅｎｅｒａｔｉｏｎ  Ｐａｒｔｎｅｒｓｈｉｐ  Ｐｒｏｊｅｃｔ  （３ＧＰＰ）  Ｔｅｃｈｎｉｃａｌ  Ｓｐｅｃｉｆｉｃａｔｉｏｎｓ  （ＴＳ）が、参照することにより本明細書に組み込まれる。  
【００７０】
いくつかの実施形態を本開示で提供したが、開示されたシステムおよび方法は、本開示の精神または範囲から逸脱することなく、多くの他の具体的形態で具現化されてもよいことを理解されたい。本実施例は、制限的ではなく例証的と見なされるものであり、本明細書で与えられる詳細に制限されることを意図するものではない。例えば、種々の要素または構成要素が組み合わされるか、または別のシステムに統合されてもよく、または、ある特徴が省略されるか、あるいは実装されなくてもよい。
【００７１】
また、個別または別個のものとして種々の実施形態で説明および例証される、技術、システム、サブシステム、および方法は、本開示の範囲から逸脱することなく、他のシステム、モジュール、技術、または方法と組み合わされるか、あるいは統合されてもよい。相互に連結される、または直接連結される、あるいは通信するものとして示される、または論議される他の項目は、電気的であろうと、機械的であろうと、または別の方法であろうと、何らかのインターフェース、デバイス、または中間構成要素を通して、間接的に連結されるか、または通信してもよい。変更、置換、および改変の他の実施例が、当業者によって究明可能であり、本明細書で開示される精神および範囲から逸脱することなく行うことができる。
【００７２】
本開示の範囲を公開するため以下の請求を行う。
【図１】
0005309218.tif 000002
【図２】
0005309218.tif 000003
【図３】
0005309218.tif 000004
【図４】
0005309218.tif 000005
【図５】
0005309218.tif 000006
【図６】
0005309218.tif 000007
【図７】
0005309218.tif 000008
【図８】
0005309218.tif 000009
【図９】
0005309218.tif 000010
【図１０】
0005309218.tif 000011